(57)【要約】【課題】良好な印刷結果を得る。【解決手段】白色のインクを上記インク・ジェット・ノズルから射出する第１のインク・ヘッドと、上記光照射手段と、白色とは異なる色彩のインクを上記インク・ジェット・ノズルから射出する第２のインク・ヘッドとを有し、上記媒体上を移動する際の進行方向における最も先頭側に位置するように上記第１のインク・ヘッドを配設し、上記進行方向における上記第１のインク・ヘッドの後段に位置するように上記第１のインク・ヘッドに隣接して上記光照射手段を配設し、上記進行方向における上記光照射手段の後段に位置するように上記光照射手段に隣接して上記第２のインク・ヘッドを配設した。【選択図】        図３
2005059214.tif 000002
【特許請求の範囲】
【請求項１】
複数の色彩のインクをそれぞれインク・ジェット・ノズルから射出する複数のインク・ヘッドと、
前記インク・ヘッドの前記インク・ジェット・ノズルから射出されたインクの飛滴が落下する媒体上に光を照射し、前記媒体上においてインクを硬化させる光照射手段と
を有し、
前記インク・ヘッドと前記光照射手段とが一体的に前記媒体上を移動しながらインク・ジェット方式により印刷を行うインク・ヘッド装置であって、
白色のインクを前記インク・ジェット・ノズルから射出する第１のインク・ヘッドと、
前記光照射手段と、
白色とは異なる色彩のインクを前記インク・ジェット・ノズルから射出する第２のインク・ヘッドと
を有し、
前記媒体上を移動する際の進行方向における最も先頭側に位置するように前記第１のインク・ヘッドを配設し、
前記進行方向における前記第１のインク・ヘッドの後段に位置するように前記第１のインク・ヘッドに隣接して前記光照射手段を配設し、
前記進行方向における前記光照射手段の後段に位置するように前記光照射手段に隣接して前記第２のインク・ヘッドを配設した
ものであるインク・ジェット・プリンタにおけるインク・ヘッド装置。
【請求項２】
複数の色彩のインクをそれぞれインク・ジェット・ノズルから射出する複数のインク・ヘッドと、
前記インク・ヘッドのインク・ジェット・ノズルから射出されたインクの飛滴が落下する媒体上に光を照射し、前記媒体上においてインクを硬化させる複数の光照射手段と
を有し、
前記インク・ヘッドと前記光照射手段とが一体的に前媒体上を往復移動しながらインク・ジェット方式により印刷を行うインク・ヘッド装置であって、
白色のインクを前記インク・ジェット・ノズルから射出する第１のインク・ヘッドと、
白色のインクを前記インク・ジェット・ノズルから射出する第２のインク・ヘッドと、
第１の光照射手段と、
第２の光照射手段と、
白色とな異なる色彩のインクを前記インク・ジェット・ノズルから射出する第３のインク・ヘッドと
を有し、
前記媒体上を移動する際の往路の進行方向における最も先頭側に位置するように前記第１のインク・ヘッドを配設し、
前記往路の進行方向における前記第１のインク・ヘッドの後段に位置するように前記第１のインク・ヘッドに隣接して前記第１の光照射手段を配設し、
前記媒体上を移動する際の復路の進行方向における最も先頭側に位置するように前記第２のインク・ヘッドを配設し、
前記復路の進行方向における前記第２のインク・ヘッドの後段に位置するように前記第２のインク・ヘッドに隣接して前記第２の光照射手段を配設し、
前記第１の光照射手段と前記第２の光照射手段との間に位置するように前記第３のインク・ヘッドを配設した
ものであるインク・ジェット・プリンタにおけるインク・ヘッド装置。
【請求項３】
請求項１または請求項２のいずれか１項に記載のインク・ヘッド装置において、
前記インク・ヘッドの前記インク・ジェット・ノズルから射出されるインクはＵＶインクであり、
前記光照射手段は紫外線ランプである
インク・ジェット・プリンタにおけるインク・ヘッド装置。
【請求項４】
請求項２または請求項３のいずれか１項に記載のインク・ジェット・プリンタにおけるインク・ヘッド装置と、
前記インク・ヘッド装置を、前記進行方向における一方の端部から他方の端部へ向かう第１の方向で移動可能であるとともに、前記進行方向における前記他方の端部から前記一方の端部へ向かう第２の方向で移動可能な移動手段と
を有し、
前記移動手段によって第１の方向で前記インク・ヘッド装置が移動された場合には、前記第１のインク・ヘッドの前記インク・ジェット・ノズルから射出された白色のインクが前記第１の光照射手段によって硬化されるとともに、前記第３のインク・ヘッドの前記インク・ジェット・ノズルから射出された白色とは異なる色彩のインクが前記第２の光照射手段によって硬化され、
前記移動手段によって第２の方向で前記インク・ヘッドが移動された場合には、前記第２のインク・ヘッドの前記インク・ジェット・ノズルから射出された白色のインクが前記第２の光照射手段によって硬化されるとともに、前記第３のインク・ヘッドの前記インク・ジェット・ノズルから射出された白色とは異なる色彩のインクが前記第１の光照射手段によって硬化される
ものであるインク・ジェット・プリンタ。
【発明の詳細な説明】
【０００１】
【発明の属する技術分野】
本発明は、インク・ジェット・プリンタにおけるインク・ヘッド装置およびインク・ジェット・プリンタに関し、さらに詳細には、数値制御により記録紙などの媒体上に印刷、例えば、高解像度でのカラー印刷などを行う際に用いて好適なインク・ジェット・プリンタにおけるインク・ヘッド装置およびインク・ジェット・プリンタに関する。
【０００２】
なお、本明細書において「媒体」とは、普通紙などの紙類よりなる各種の記録紙は勿論のこと、ＯＨＰシートあるいはＰＶＣシートなどのような各種の厚さの薄い媒体や各種の厚さの厚い媒体をも含むものとする。
【０００３】
【従来の技術】
従来より、マイクロ・コンピューターによって全体の動作を制御され、給紙装置によって供給された記録紙上に記録紙の幅方向（なお、本明細書のおいては、当該記録紙の幅方向を、「主走査方向」と適宜称することとする。）で移動するインク・ヘッドを用い、インク・ジェット方式により所定の印刷を行うにしたインク・ジェット・プリンタが知られている。
【０００４】
また、インクジェット方式であって、白色インクと他色インクとをそれぞれ吐出する吐出口を有する装置も知られている（例えば、特許文献１参照）。
【０００５】
【特許文献１】
特開平７−８１０９１号公報
図１には、上記したようなインク・ジェット・プリンタの一例を示す概略構成説明図が示されており、このインク・ジェット・プリンタ１００は、主走査方向に延長して配設された固定系のベース部材１１２と、ベース部材１１２の左右両端でベース部材１１２に直交して配設された側方部材１１４Ｌ、１１４Ｒと、側方部材１１４Ｒ内に配設された５つのインク・カートリッジ１１６と、５つのインク・カートリッジ１１６のそれぞれから延長された５本のインク・チューブ１１８と、５本のインク・チューブ１１８を内部に挿通して支持する管状のインク・チューブ・ガイド１２０と、左右２つの側方部材１１４Ｌ、１１４Ｒを連結する中央壁１２２と、中央壁１２２の壁面よりベース部材１１２に平行して突設されインク・チューブ・ガイド１２０を支持する板状のインク・チューブ・ガイド受け部材１２３と、中央壁１２２の壁面に平行して主走査方向に移動自在に配設されたワイヤー１２４と、ワイヤー１２４に固定的に配設されたインク・ヘッド・ホルダー１３０とを有して構成されている。
【０００６】
なお、こうしたインク・ジェット・プリンタ１００の全体の動作は、マイクロ・コンピュータ（図示せず）によって制御されている。
【０００７】
ここで、インク・ヘッド・ホルダー１３０には、５つのインク・ヘッド１０，１２，１４，１６，１８と２つの紫外線ランプ２０，２２とが記録紙に対向するようにして配設されている。
【０００８】
５つのインク・ヘッド１０，１２，１４，１６，１８はいずれも同一の構成を備えており、インク・ヘッド１０，１２，１４，１６，１８の下面には、インクを記録紙に対して射出する射出口としてのインク・ジェット・ノズル（図示せず）が複数個配設されている。
【０００９】
そして、インク・ヘッド１０，１２，１４，１６，１８にはそれぞれ、５つのインク・カートリッジ１１６のそれぞれに収容された液体状のインクが、インク・チューブ１１８によって搬送されて供給されるものである。こうしてインク・ヘッド１０，１２，１４，１６，１８に供給されたインクがインク・ジェット・ノズルから射出され、インク・ジェット・ノズルから射出されたインクの飛滴が記録紙上に落下してドットが形成されて、所定の印刷が行われるものである。
【００１０】
なお、５つのインクカートリッジ１１６のそれぞれに収容されている液体状のインクは、紫外線で硬化するＵＶインクであり、それぞれ異なる色彩のインクである。具体的には、インク・カートリッジ１１６からインク・チューブ１１８によって搬送されて、インク・ヘッド１０には白色のインクが供給され、インク・ヘッド１２には黒色のインクが供給され、インク・ヘッド１４には青色（シアン）のインクが供給され、インク・ヘッド１６には赤色（マゼンタ）のインクが供給され、インク・ヘッド１８には黄色（イエロー）のインクが供給されるようになされている。
【００１１】
この５つのインク・ヘッド１０，１２，１４，１６，１８は、主走査方向と一致する方向に一列に並んでインク・ヘッド・ホルダー１３０に配設されている。より詳細には、インク・ヘッド・ホルダー１３０に配設された５つのインク・ヘッド１０，１２，１４，１６，１８のうち、インク・ヘッド１０が主走査方向における最も左方側に配設され、インク・ヘッド１８が主走査方向における最も右方側に配設され、左方側から右方側に向かう順で、インク・ヘッド１０の右方側に隣接してインク・ヘッド１２が配設され、インク・ヘッド１２の右方側に隣接してインク・ヘッド１４が配設され、インク・ヘッド１４の右方側に隣接してインク・ヘッド１６が配設され、インク・ヘッド１６の右方側に隣接してインク・ヘッド１８が配設されている。
【００１２】
一方、紫外線ランプ２０，２２はいずれも同一の構成を備えており、インク・ヘッド１０，１２，１４，１６，１８のインク・ジェット・ノズルから射出されるＵＶインクの飛滴が落下する記録紙上に紫外線を照射して、記録紙上においてＵＶインクを硬化させるものである。
【００１３】
２つの紫外線ランプ２０，２２は、５つのインク・ヘッド１０，１２，１４，１６，１８とともに、主走査方向と一致する方向に一列に並んでインク・ヘッド・ホルダー１３０に配設されている。より詳細には、５つのインク・ヘッド１０，１２，１４，１６，１８のうち主走査方向における最も左方側に配設されたインク・ヘッド１０の左方側に隣接して紫外線ランプ２０が配設され、５つのインク・ヘッド１０，１２，１４，１６，１８のうち主走査方向における最も右方側に配設されたインク・ヘッド１８の右方側に隣接して紫外線ランプ２２が配設されている。
【００１４】
つまり、５つのインク・ヘッド１０，１２，１４，１６，１８と２つの紫外線ランプ２０，２２とは、主走査方向における左方側から、紫外線ランプ２０、インク・ヘッド１０、インク・ヘッド１２、インク・ヘッド１４、インク・ヘッド１６、インク・ヘッド１８、紫外線ランプ２２の順で、インク・ヘッド・ホルダー１３０に配設されているものである。
【００１５】
ここで、ワイヤー１２４に固定的に配設されたインク・ヘッド・ホルダー１３０は、ワイヤー１２４がモーターなどの駆動装置（図示せず）によって巻き取られて主走査方向に移動すると、このワイヤー１２４の移動に伴って中央壁１２２の壁面に沿って主走査方向に移動する。
【００１６】
このため、インク・ヘッド・ホルダー１３０に固定的に配設されたインク・ヘッド１０，１２，１４，１６，１８ならびに紫外線ランプ２０，２２も、インク・ヘッド・ホルダー１３０の移動に伴って記録紙上を主走査方向に移動する。即ち、側方部材１１４Ｒ側からインク・ジェット・プリンタ１００の中央を経て側方部材１４Ｌ側へと主走査方向における行き方向で移動するとともに、側方部材１１４Ｌ側からインク・ジェット・プリンタ１００の中央を経て側方部材１１４Ｒ側へと主走査方向における帰り方向で移動する。
【００１７】
以上の構成において、このインク・ジェット・プリンタ１００を用いて記録紙上に印刷を行う場合を説明する。ワイヤー１２４の巻き取りによるワイヤー１２４の移動に伴って、インク・ヘッド・ホルダー１３０に配設されたインク・ヘッド１０，１２，１４，１６，１８と紫外線ランプ２０，２２とが一体的に、給紙装置（図示せず）によってベース部材１１２上に供給された記録紙上を、主走査方向における行き方向および帰り方向に往復移動する。
【００１８】
この際、主走査方向における行き方向と帰り方向との双方向において往復移動するインク・ヘッド１０，１２，１４，１６，１８は、それぞれのインク・ジェット・ノズルからインクチューブ１１８によって搬送されたインクを射出し、射出されたインクの飛滴が記録紙上の所定の位置に落下して、記録紙上の所定の位置にドットが形成され、双方向印刷により所定の印刷が行われる。
【００１９】
ここで、インク・ジェット・プリンタ１００においては、インク・ヘッド・ホルダー１３０が主走査方向における行き方向に移動する場合には、主走査方向における右方側から左方側へ移動する往路の進行方向の最も先頭側にインク・ヘッド１０が位置するようになり、このインク・ヘッド１０から順にインクが射出されて印刷が行われる（図２参照）。
【００２０】
具体的には、主走査方向における行き方向において移動するインク・ヘッド１０から白色のインクが射出され、次に、インク・ヘッド１２から黒色のインクが射出され、次に、インク・ヘッド１４から青色のインクが射出され、次に、インク・ヘッド１６から赤色のインクが射出され、次に、インク・ヘッド１８から黄色のインクが射出される。
【００２１】
こうして、インク・ヘッド１０，１２，１４，１６，１８のそれぞれから射出されたインクの飛滴は、記録紙上の所定の位置に落下する。その後、インク・ヘッド１８に隣接して配設され往路の進行方向の最も後段側に位置する紫外線ランプ２２によって、インクの飛滴が落下した記録紙上に紫外線が照射されるので、インク・ヘッド１０，１２，１４，１６，１８から射出されたＵＶインクが記録紙上において硬化する。
【００２２】
一方、インク・ヘッド・ホルダー１３０が主走査方向における帰り方向に移動する場合には、主走査方向における左方側から右方側へ移動する復路の進行方向の最も先頭側にインク・ヘッド１８が位置するようになり、このインク・ヘッド１８から順にインクが射出させれて印刷が行われる（図２参照）。
【００２３】
具体的には、主走査方向における行き方向において移動するインク・ヘッド１８から黄色のインクが射出され、次に、インク・ヘッド１６から赤色のインクが射出され、次に、インク・ヘッド１４から青色のインクが射出され、次に、インク・ヘッド１２から黒色のインクが射出され、次に、インク・ヘッド１０から白色のインクが射出される。
【００２４】
こうして、インク・ヘッド１０，１２，１４，１６，１８のそれぞれから射出されたインクの飛滴は、記録紙上の所定の位置に落下する。その後、インク・ヘッド１０に隣接して配設され復路の進行方向の最も後段側に位置する紫外線ランプ２０によって、インクの飛滴が落下した記録紙上に紫外線が照射されるので、インク・ヘッド１０，１２，１４，１６，１８から射出されたＵＶインクが記録紙上において硬化する。
【００２５】
ところで、従来のインク・ジェット・プリンタ１００を用いて、上記した行き方向と帰り方向との双方向において印刷が行われる双方向印刷によって所定の印刷が行われるときに、行き方向における印刷では、往路の進行方向の最も先頭側に位置するインク・ヘッド１０から順にインクが射出させれて印刷が行われるので、白色のインクが射出された後に、黒色のインク、青色のインク、赤色のインクならびに黄色のインクが射出され、インクが射出された後に紫外線ランプ２２によって紫外線が照射されることになる。
【００２６】
その結果、紫外線ランプ２２によって記録紙上に紫外線が照射される前であって、白色のインクが硬化していないうちに、黒色のインク、青のインク、赤色のインクならびに黄色のインクが射出されてしまうので、記録紙上において白色のインクと白色とは異なる色彩のインクとが混濁してしまい、混色によって各色彩が不鮮明になり、印刷の品質の劣化を招く恐れがあるという問題点があった。
【００２７】
また、帰り方向における印刷では、復路の進行方向の最も先頭側に位置するインク・ヘッド１８から順にインクが射出させれて印刷が行われるので、黒色のインク、青色のインク、赤色のインクならびに黄色のインクが射出され後に、白色のインクが射出された、インクが射出された後に紫外線ランプ２０によって紫外線が照射されることになる。
【００２８】
その結果、行き方向における印刷と同様に、紫外線ランプ２０によって記録紙上に紫外線が照射される前であって、黒色のインク、青色のインク、赤色のインクならびに黄色のインクが硬化していないうちに、白色のインクが射出されてしまうので、記録紙上において白色のインクと白色とは異なる色彩のインクとが混濁してしまい、混色によって各色彩が不鮮明になり、印刷の品質の劣化を招く恐れがあるという問題点があった。
【００２９】
さらに、白色のインクは、記録紙上に白地のベースを作成し、その白地ベースの上に白色とは異なる色彩を重ねて印刷するために使用されるものであり、黒色のインク、青色のインク、赤色のインクならびに黄色のインクによって記録紙上にドットが形成された後に、白色のインクの飛滴が記録紙上に落下してドットが形成されたのでは、白色とは異なる色彩の上に白地ベースが重なるようになってしまい、記録紙上の印刷に視覚的な違和感が生起されてしまうという問題点があった。
【００３０】
上記したような問題点、即ち、記録紙上において白色のインクと白色とは異なる色彩のインクとが混濁してしまうことや、白色とは異なる色彩の上に白地ベースが重なってしまうことを解消するために、インク・ヘッド１０による白色のインクでのベタ印刷を、白色とは異なる色彩での印刷に先だって予め行うようにすることも考えられる。
【００３１】
しかしながら、インク・ヘッド１０による白色のインクでのベタ印刷を行った後に、記録紙を搬送し直し、改めてインク・ヘッド１２，１４，１６，１８による白色とは異なる色彩での印刷を行うことになるので、作業が煩雑になるとともに、印刷スピードが低下してしまうという新たな問題点が招来されることになる。
【００３２】
【発明が解決しようとする課題】
本発明は、上記したような従来の技術の有する問題点に鑑みてなされたものであり、その目的とするところは、インク・ジェット方式により記録紙上に印刷を行うに際して、記録紙上に滴下されたインクが混濁することを防止して、良好な印刷結果を得ることができるようにしたインク・ジェット・プリンタにおけるインク・ヘッド装置およびインク・ジェット・プリンタを提供しようとするものである。
【００３３】
【課題を解決するための手段】
上記目的を達成するために、本発明のうち請求項１に記載の発明は、複数の色彩のインクをそれぞれインク・ジェット・ノズルから射出する複数のインク・ヘッドと、上記インク・ヘッドの上記インク・ジェット・ノズルから射出されたインクの飛滴が落下する媒体上に光を照射し、上記媒体上においてインクを硬化させる光照射手段とを有し、上記インク・ヘッドと上記光照射手段とが一体的に上記媒体上を移動しながらインク・ジェット方式により印刷を行うインク・ヘッド装置であって、白色のインクを上記インク・ジェット・ノズルから射出する第１のインク・ヘッドと、上記光照射手段と、白色とは異なる色彩のインクを上記インク・ジェット・ノズルから射出する第２のインク・ヘッドとを有し、上記媒体上を移動する際の進行方向における最も先頭側に位置するように上記第１のインク・ヘッドを配設し、上記進行方向における上記第１のインク・ヘッドの後段に位置するように上記第１のインク・ヘッドに隣接して上記光照射手段を配設し、上記進行方向における上記光照射手段の後段に位置するように上記光照射手段に隣接して上記第２のインク・ヘッドを配設したものである。
【００３４】
また、本発明のうち請求項２に記載の発明は、複数の色彩のインクをそれぞれインク・ジェット・ノズルから射出する複数のインク・ヘッドと、上記インク・ヘッドのインク・ジェット・ノズルから射出されたインクの飛滴が落下する媒体上に光を照射し、上記媒体上においてインクを硬化させる複数の光照射手段とを有し、上記インク・ヘッドと上記光照射手段とが一体的に前媒体上を往復移動しながらインク・ジェット方式により印刷を行うインク・ヘッド装置であって、白色のインクを上記インク・ジェット・ノズルから射出する第１のインク・ヘッドと、白色のインクを上記インク・ジェット・ノズルから射出する第２のインク・ヘッドと、第１の光照射手段と、第２の光照射手段と、白色とな異なる色彩のインクを上記インク・ジェット・ノズルから射出する第３のインク・ヘッドとを有し、上記媒体上を移動する際の往路の進行方向における最も先頭側に位置するように上記第１のインク・ヘッドを配設し、上記往路の進行方向における上記第１のインク・ヘッドの後段に位置するように上記第１のインク・ヘッドに隣接して上記第１の光照射手段を配設し、上記媒体上を移動する際の復路の進行方向における最も先頭側に位置するように上記第２のインク・ヘッドを配設し、上記復路の進行方向における上記第２のインク・ヘッドの後段に位置するように上記第２のインク・ヘッドに隣接して上記第２の光照射手段を配設し、上記第１の光照射手段と上記第２の光照射手段との間に位置するように上記第３のインク・ヘッドを配設したものである。
【００３５】
また、本発明のうち請求項３に記載の発明は、請求項１または請求項２のいずれか１項に記載の発明において、上記インク・ヘッドの上記インク・ジェット・ノズルから射出されるインクはＵＶインクであり、上記光照射手段は紫外線ランプであるようにものである。
【００３６】
また、本発明のうち請求項４に記載の発明は、請求項２または請求項３のいずれか１項に記載のインク・ジェット・プリンタにおけるインク・ヘッド装置と、上記インク・ヘッド装置を、上記進行方向における一方の端部から他方の端部へ向かう第１の方向で移動可能であるとともに、上記進行方向における上記他方の端部から上記一方の端部へ向かう第２の方向で移動可能な移動手段とを有し、上記移動手段によって第１の方向で上記インク・ヘッド装置が移動された場合には、上記第１のインク・ヘッドの上記インク・ジェット・ノズルから射出された白色のインクが上記第１の光照射手段によって硬化されるとともに、上記第３のインク・ヘッドの上記インク・ジェット・ノズルから射出された白色とは異なる色彩のインクが上記第２の光照射手段によって硬化され、上記移動手段によって第２の方向で上記インク・ヘッドが移動された場合には、上記第２のインク・ヘッドの上記インク・ジェット・ノズルから射出された白色のインクが上記第２の光照射手段によって硬化されるとともに、上記第３のインク・ヘッドの上記インク・ジェット・ノズルから射出された白色とは異なる色彩のインクが上記第１の光照射手段によって硬化されるようにものである。
【００３７】
【発明の実施の形態】
以下、添付の図面に基づいて、本発明によるインク・ジェット・プリンタにおけるインク・ヘッド装置およびインク・ジェット・プリンタの実施の形態の一例を詳細に説明するものとする。
【００３８】
図３には、本発明によるインク・ジェット・プリンタにおけるインク・ヘッド装置を有するインク・ジェット・プリンタの実施の形態の一例の概略構成説明図が示されおり、図４には、図３の要部を模式的に示した説明図が示されている。
【００３９】
なお、図３乃至図４において、図１乃至図２と同一あるいは相当する構成に関しては、図１乃至図２において用いた符号を用いて示すことにより、その詳細な構成および作用の説明は省略する。
【００４０】
また、本発明によるインク・ジェット・プリンタにおけるインク・ヘッド装置を有するインク・ジェット・プリンタにおいても、媒体としては、記録紙を用いるものとする。
【００４１】
ここで、本発明によるインク・ジェット・プリンタ２００と、「従来の技術」の項で説明した従来のインク・ジェット・プリンタ１００とを比較すると、従来のインク・ジェット・プリンタ１００においては、５つのインク・ヘッド１０，１２，１４，１６，１８と２つの紫外線ランプ２０，２２とがインク・ヘッド・ホルダー１３０に配設されていたのに対して、本発明によるインク・ジェット・プリンタ２００においては、６つのインク・ヘッド１０−１，１０−２，１２，１４，１６，１８と２つの紫外線ランプ２０，２２とがインク・ヘッド・ホルダー１３０に配設されている点において、両者は異なっている。
【００４２】
即ち、本発明によるインク・ジェット・プリンタ２００のインク・ヘッド・ホルダー３０には、６つのインク・ヘッド１０−１，１０−２，１２，１４，１６，１８と２つの紫外線ランプ２０，２２とが記録紙に対向するようにして配設されている。
【００４３】
６つのインク・ヘッド１０−１，１０−２，１２，１４，１６，１８はいずれも同一の構成を備えており、インク・ヘッド１０−１，１０−２，１２，１４，１６，１８の下面には、インクを記録紙に対して射出する射出口としてのインク・ジェット・ノズル（図示せず）が複数個配設されている。
【００４４】
そして、インク・ヘッド１０−１，１０−２，１２，１４，１６，１８にはそれぞれ、５つのインク・カートリッジ１１６のそれぞれに収容されたそれぞれ異なる色彩の液体状のＵＶインクが、インク・チューブ１１８によって搬送されて供給されるものである。
【００４５】
具体的には、インク・カートリッジ１１６からインク・チューブ１１８によって搬送されて、インク・ヘッド１０−１ならびにインク・ヘッド１０−２には白色のインクが供給され、インク・ヘッド１２には黒色のインクが供給され、インク・ヘッド１４には青色（シアン）のインクが供給され、インク・ヘッド１６には赤色（マゼンタ）のインクが供給され、インク・ヘッド１８には黄色（イエロー）のインクが供給されるようになされている。
【００４６】
こうしてインク・ヘッド１０−１，１０−２，１２，１４，１６，１８に供給されたインクがインク・ジェット・ノズルから射出され、インク・ジェット・ノズルから射出されたインクの飛滴が記録紙上に落下してドットが形成されて、所定の印刷が行われるものである。
【００４７】
一方、紫外線ランプ２０，２２はいずれも同一の構成を備えており、インク・ヘッド１０ー１，１０−２，１２，１４，１６，１８のインク・ジェット・ノズルから射出されるＵＶインクの飛滴が落下する記録紙上に紫外線を照射して、記録紙上においてＵＶインクを硬化させるものである。なお、この実施の形態においては、紫外線ランプ２０，２２は印刷中は常時点灯するように設定されている。
【００４８】
そして、２つの紫外線ランプ２０，２２は、６つのインク・ヘッド１０−１，１０−２，１２，１４，１６，１８とともに、主走査方向と一致する方向に一列に並んでインク・ヘッド・ホルダー１３０に配設されている。
【００４９】
より詳細には、インク・ヘッド・ホルダー１３０に配設された６つのインク・ヘッド１０−１，１０−２，１２，１４，１６，１８のうち、インク・ヘッド１０−１が主走査方向における最も左方側に配設され、インク・ヘッド１０−２が主走査方向における最も右方側に配設され、左方側から右方側に向かう順で、インク・ヘッド１０−１の右方側に隣接して紫外線ランプ２０が配設され、紫外線ランプ２０の右方側に隣接してインク・ヘッド１２が配設され、インク・ヘッド１２の右方側に隣接してインク・ヘッド１４が配設され、インク・ヘッド１４の右方側に隣接してインク・ヘッド１６が配設され、インク・ヘッド１６の右方側に隣接してインク・ヘッド１８が配設され、インク・ヘッド１８の右方側に隣接して紫外線ランプ２２が配設され、紫外線ランプ２２の右方側に隣接してインク・ヘッド１０−１が配設されている。
【００５０】
つまり、紫外線ランプ２０は、白色とは異なる色彩のインクが供給される４つのインク・ヘッド１２，１４，１６，１８のうち主走査方向における最も左方側に配設されたインク・ヘッド１２の左方側に隣接するとともに、白色のインクが供給されるインク・ヘッド１０−１の右方側に隣接するようにして、インク・ヘッド１２とインク・ヘッド１０−１との間に配設されている。一方、紫外線ランプ２２は、白色とは異なる色彩のインクが供給される４つのインク・ヘッド１２，１４，１６，１８のうち主走査方向における最も右方側に配設されたインク・ヘッド１８の右方側に隣接するとともに、白色のインクが供給されるインク・ヘッド１０−２の左方側に隣接するようにして、インク・ヘッド１８とインク・ヘッド１０−２との間に配設されている。
【００５１】
ここで、ワイヤー１２４に固定的に配設されたインク・ヘッド・ホルダー１３０は、ワイヤー１２４がモーターなどの駆動装置（図示せず）によって巻き取られて主走査方向に移動すると、このワイヤー１２４の移動に伴って中央壁１２２の壁面に沿って主走査方向に移動する。
【００５２】
このため、インク・ヘッド・ホルダー１３０に固定的に配設されたインク・ヘッド１０−１，１０−２，１２，１４，１６，１８ならびに紫外線ランプ２０，２２も、インク・ヘッド・ホルダー１３０の移動に伴って記録紙上を主走査方向に移動する。即ち、側方部材１１４Ｒ側からインク・ジェット・プリンタ２００の中央を経て側方部材１４Ｌ側へと主走査方向における行き方向で移動するとともに、側方部材１１４Ｌ側からインク・ジェット・プリンタ２００の中央を経て側方部材１１４Ｒ側へと主走査方向における帰り方向で移動する。
【００５３】
以上の構成において、このインク・ジェット・プリンタ２００を用いて記録紙上に印刷を行う場合を説明すると、ワイヤー１２４の巻き取りによるワイヤー１２４の移動に伴って、インク・ヘッド・ホルダー１３０に配設されたインク・ヘッド１０−１，１０−２，１２，１４，１６，１８と紫外線ランプ２０，２２とが一体的に、給紙装置（図示せず）によってベース部材１１２上に供給された記録紙上を、主走査方向における行き方向および帰り方向に往復移動する。
【００５４】
この際、主走査方向における行き方向と帰り方向との双方向において往復移動するインク・ヘッド１０−１，１０−２，１２，１４，１６，１８は、それぞれのインク・ジェット・ノズルからインクチューブ１１８によって搬送されたインクを射出し、射出されたインクの飛滴が記録紙上の所定の位置に落下して、記録紙上の所定の位置にドットが形成され、双方向印刷により所定の印刷が行われる（図５ならびに図６参照）。
【００５５】
ここで、インク・ジェット・プリンタ２００においては、インク・ヘッド・ホルダー１３０が主走査方向における行き方向において移動する場合には、主走査方向における右方側から左方側へ移動する往路の進行方向の最も先頭側にインク・ヘッド１０−１が位置するようになり、このインク・ヘッド１０−１から順にインクが射出されて印刷が行われる。
【００５６】
具体的には、主走査方向における行き方向において移動するインク・ヘッド１０−１から白色のインクが射出され（図５（ａ）参照）、次に、インク・ヘッド１２から黒色のインクが射出され（図５（ｂ）参照）、次に、インク・ヘッド１４から青色のインクが射出され（図５（ｃ）参照）、次に、インク・ヘッド１６から赤色のインクが射出され（図５（ｄ）参照）、次に、インク・ヘッド１８から黄色のインクが射出される（図５（ｅ）参照）。
【００５７】
こうして、インク・ヘッド１０−１，１２，１４，１６，１８のそれぞれから射出されたインクの飛滴は、記録紙上の所定の位置（図５（ａ）〜（ｆ）において一点鎖線で示す領域参照）に落下して、記録紙上の所定の位置にドット（図５（ａ）〜（ｆ）参照）を形成し、双方向印刷における行き方向における印刷が行われる。
【００５８】
ここで、行き方向におけるインク・ヘッド１０−１，１０−２，１２，１４，１６，１８と紫外線ランプ２０，２２との移動に伴い、図５（ａ）に示すようにしてインク・ヘッド１０−１から白色のインクが射出された後には、インク・ヘッド１０−１に隣接して配設され往路の進行方向におけるインク・ヘッド１０−１の後段に位置する紫外線ランプ２０によって、インクの飛滴が落下した記録紙上に紫外線が照射されるようになる（図５（ｂ）に示す状態参照）。つまり、インク・ヘッド１０−１から射出され記録紙上に落下した白色のインクには、紫外線ランプ２０からの紫外線が直ちに照射され、白色のＵＶインクが記録紙上において硬化する。
【００５９】
こうして白色のインクが硬化した後に、インク・ヘッド１２，１４，１６，１８のそれぞれから、黒色のインク、青色のインク、赤色のインクならびに黄色のインクが射出される（図５（ｂ）（ｃ）（ｄ）（ｅ）に示す状態参照）。
【００６０】
そして、行き方向におけるインク・ヘッド１０−１，１０−２，１２，１４，１６，１８と紫外線ランプ２０，２２との移動に伴い、インク・ヘッド１８に隣接して配設され往路の進行方向におけるインク・ヘッド１８の後段に位置する紫外線ランプ２２によって、記録紙上に紫外線が照射され、記録紙上に落下した白色とは異なる色彩のＵＶインクが記録紙上において硬化する（図５（ｆ）に示す状態参照）。
【００６１】
一方、インク・ジェット・プリンタ２００において、インク・ヘッド・ホルダー１３０が主走査方向における帰り方向において移動する場合には、主走査方向における左方側から右方側へ移動する往路の進行方向の最も先頭側にインク・ヘッド１０−２が位置するようになり、このインク・ヘッド１０−２から順にインクが射出されて印刷が行われる。
【００６２】
具体的には、主走査方向における帰り方向において移動するインク・ヘッド１０−２から白色のインクが射出され（図６（ａ）参照）、次に、インク・ヘッド１８から黄色のインクが射出される（図６（ｂ）参照）、次に、インク・ヘッド１６から赤色のインクが射出され（図６（ｃ）参照）、次に、インク・ヘッド１４から青色のインクが射出され（図６（ｄ）参照）、次に、インク・ヘッド１２から黒色のインクが射出される（図６（ｅ）参照）。
【００６３】
こうして、インク・ヘッド１０−１，１２，１４，１６，１８のそれぞれから射出されたインクの飛滴は、記録紙上の所定の位置（図６（ａ）〜（ｆ）において一点鎖線で示す領域参照）に落下して、記録紙上の所定の位置にドット（図６（ａ）〜（ｆ）参照）を形成し、双方向印刷における行き方向における印刷が行われる。
【００６４】
ここで、帰り方向におけるインク・ヘッド１０−１，１０−２，１２，１４，１６，１８と紫外線ランプ２０，２２との移動に伴い、図６（ａ）に示すようにしてインク・ヘッド１０−２から白色のインクが射出された後には、インク・ヘッド１０−２に隣接して配設され復路の進行方向におけるインク・ヘッド１０−２の後段に位置する紫外線ランプ２２によって、インクの飛滴が落下した記録紙上に紫外線が照射されるようになる（図６（ｂ）に示す状態参照）。つまり、インク・ヘッド１０−２から射出され記録紙上に落下した白色のインクには、紫外線ランプ２２からの紫外線が直ちに照射され、白色のＵＶインクが記録紙上において硬化する。
【００６５】
こうして白色のインクが硬化した後に、インク・ヘッド１２，１４，１６，１８のそれぞれから、黒色のインク、青色のインク、赤色のインクならびに黄色のインクが射出される（図６（ｂ）（ｃ）（ｄ）（ｅ）に示す状態参照）。
【００６６】
そして、帰り方向におけるインク・ヘッド１０−１，１０−２，１２，１４，１６，１８と紫外線ランプ２０，２２との移動に伴い、インク・ヘッド１２に隣接して配設され往路の進行方向におけるインク・ヘッド１２の後段に位置する紫外線ランプ２０によって、記録紙上に紫外線が照射され、記録紙上に落下した白色とは異なる色彩のＵＶインクが記録紙上において硬化する（図６（ｆ）に示す状態参照）。
【００６７】
そして、所定の印刷が終了したならば、ワイヤー１２４の巻き取りによるワイヤー１２４の移動に伴い、図示しないオートカッターのカッターの刃部を記録紙上に当接させた状態で移動させるようにして、所定の印刷が行われた部分の記録紙を切り離なせばよい。
【００６８】
上記したようにして、本発明によるインク・ジェット・プリンタにおけるインク・ヘッド装置を有するインク・ジェット・プリンタ２００においては、６つのインク・ヘッド１０−１，１０−２，１２，１４，１６，１８と２つの紫外線ランプ２０，２２とを、主走査方向における左方側から、インク・ヘッド１０−１、紫外線ランプ２０、インク・ヘッド１２、インク・ヘッド１４、インク・ヘッド１６、インク・ヘッド１８、紫外線ランプ２２、インク・ヘッド１０−２の順で、インク・ヘッド・ホルダー１３０に配設したので、簡単な構成で、主走査方向の行き方向における印刷（図５（ａ）〜（ｆ）参照）ならびに帰り方向における印刷（図６（ａ）〜（ｆ）参照）のいずれの場合も、インク・ヘッド１０−１，１０−２から射出された白色のインクが紫外線ランプ２０，２２からの紫外線によって硬化された後に、黒色のインク、青のインク、赤色のインクならびに黄色のインクが射出されるようになり、記録紙上において白色のインクと白色とは異なる色彩のインクとが混濁せず、良好な印刷結果を得ることができる。
【００６９】
また、本発明によれば、主走査方向の行き方向における印刷ならびに帰り方向における印刷のいずれの場合も、インク・ヘッド１０−１，１０−２から白色のインクが射出されてドットが形成された後に、インク・ヘッド１２，１４，１６，１８から白色とは異なる色彩のインクが射出されてドットが形成されるようになる。このため、従来のように、黒色のインク、青色のインク、赤色のインクならびに黄色のインクによって記録紙上にドットが形成された後に、白色のインクの飛滴が記録紙上に落下してドットが形成されるのを回避でき、白色のインクによって記録紙上に白地のベースを作成し、その白地ベースの上に白色とは異なる色彩を重ねて良好な印刷結果を得ることができ、記録紙上の印刷に視覚的な違和感がなくなる。
【００７０】
さらに、本発明によれば、上記「従来の技術」の項に記載したようにインク・ヘッド１０による白色のインクでのベタ印刷を、白色とは異なる色彩での印刷に先だって予め行う必要もないので、速い印刷スピードを維持でき、紫外線ランプ２０，２２によるインクの硬化で乾燥の時間も短縮さており高い作業効率を達成できる。
【００７１】
なお、上記した実施の形態は、以下の（１）乃至（４）に説明するように変形してもよい。
【００７２】
（１）上記した実施の形態においては、６つのインク・ヘッド１０−１，１０−２，１２，１４，１６，１８と２つの紫外線ランプ２０，２２とを有するようにしたが、これに限られるものではないことは勿論であり、印刷に必要な色彩などの応じて、白色とは異なる色彩のインクを射出するインク・ヘッドの総数を増減させるなどしてもよい。
【００７３】
また、上記した実施の形態においては、インク・ジェット・プリンタ２００において双方向印刷を行うようにしたが、主走査方向における所定の一方向（行き方向か帰り方向のいずれか一方の方向）においてのみ移動するインク・ヘッドからインクを射出して単方向印刷を行うように、例えば、行き方向においてのみ印刷を行うようにするならば、少なくともインク・ヘッド１０−１とインク・ヘッド１２，１４，１６，１８のいずれかと紫外線ランプ２０とを配設すればよい。
【００７４】
（２）上記した実施の形態においては、主走査方向の行き方向における印刷（図５（ａ）〜（ｆ）参照）においては、インク・ヘッド１０−２からは白色のインクを射出せず、帰り方向における印刷（図６（ａ）〜（ｆ）参照）においては、インク・ヘッド１０−１からは白色のインクを射出しないようにしたが、これに限られるものではないことは勿論であり、白色の単色で印刷する場合などは混色の問題が生起されないので、行き方向の印刷においてインク・ヘッド１０−２から白色のインクを射出したり、帰り方向における印刷においてインク・ヘッド１０−１からは白色のインクを射出するようにしてもよい。こうすると、インク・ヘッド１０−１，１０−２の２つのインク・ヘッドによって、隠蔽性が比較的低い白色を厚く塗って良好な印刷結果を得ることできる。
【００７５】
（３）上記した実施の形態においては、記録紙上に紫外線を照射する紫外線ランプ２０，２２とＵＶインクとを用いるようにしたが、これに限られるものではないことは勿論であり、紫外線とは異なる放射線の可視光や電子線あるいはその他の光を照射する手段を用い、記録紙上に照射される光によって固化あるいは増粘する性質を有する各種インクを用いるようにしてもよい。
【００７６】
（４）上記した実施の形態ならびに上記（１）乃至（３）に示す変形例は、適宜に組み合わせるようにしてもよい。
【００７７】
【発明の効果】
本発明は、以上説明したように構成されているので、インク・ジェット方式により記録紙上に印刷を行うに際して、記録紙上に滴下されたインクが混濁することを防止して、良好な印刷結果を得ることができるという優れた効果を奏する。
【図面の簡単な説明】
【図１】従来のインク・ジェット・プリンタを示す概略構成説明図である。
【図２】図１の要部を模式的に示した説明図である。
【図３】本発明によるインク・ジェット・プリンタにおけるインク・ヘッド装置を有するインク・ジェット・プリンタの実施の形態の一例を示す概略構成説明図である。
【図４】図３の要部を模式的に示した説明図である。
【図５】（ａ）（ｂ）（ｃ）（ｄ）（ｅ）（ｆ）は主走査方向の行き方向における印刷を模式的に示した説明図である。
【図６】（ａ）（ｂ）（ｃ）（ｄ）（ｅ）（ｆ）は主走査方向の帰り方向における印刷を模式的に示した説明図である。
【符号の説明】
１０，１０−１，１０−２，１２，１４，１６，１８    インク・ヘッド
２０，２２        紫外線ランプ
１１２              ベース部材
１１４Ｌ、１１４Ｒ  側方部材
１１６              インク・カートリッジ
１１８              インク・チューブ
１２０              インク・チューブ・ガイド
１２２              中央壁
１２３              インク・チューブ・ガイド受け部材
１２４              ワイヤー
１３０              インク・ヘッド・ホルダー
１００，２００      インク・ジェット・プリンタ
【図１】
2005059214.tif 000003
【図２】
2005059214.tif 000004
【図３】
2005059214.tif 000005
【図４】
2005059214.tif 000006
【図５】
2005059214.tif 000007
【図６】
2005059214.tif 000008